(57)【特許請求の範囲】
【請求項１】
先端部に突出形成された口部を有するシリンジ外筒と、該シリンジ外筒内に挿入されたガスケットと、該ガスケットを前記シリンジ外筒の長手方向に沿って移動操作する押し子とをそれぞれ有する第１シリンジ及び第２シリンジを備え、前記各シリンジ外筒と前記各ガスケットとで形成された空間に液組成がそれぞれ異なる生体組織接着剤用の液体が充填された生体組織接着剤塗布具であって、
前記第１シリンジ及び前記第２シリンジを加熱可能な加熱手段と、
熱伝導性材料から形成され、前記第１シリンジ及び前記第２シリンジの各シリンジ外筒の少なくとも一部を保持する保持部と、
前記第１シリンジ及び前記第２シリンジの各シリンジ外筒が有する口部のそれぞれに接続される第１管路及び第２管路とを備え、
前記保持部は、前記第１シリンジ及び前記第２シリンジの各シリンジ外筒の少なくとも一部が載置される載置凹部が形成される保持部本体と、前記保持部本体に対して開閉自在に取り付けられ、載置された前記各シリンジ外筒の露出面を被覆する被覆凹部が形成される保持部蓋体とを備えており、
前記保持部本体及び保持部蓋体の少なくともいずれか一方の内部に前記加熱手段が設置されており、前記加熱手段が前記保持部本体及び前記保持部蓋体の少なくともいずれか一方を加熱することで、前記第１シリンジ及び前記第２シリンジを間接的に加熱し、
前記保持部は、前記第１管路及び前記第２管路の周囲を囲む、熱伝導性材料から形成される囲繞体を備え、
前記囲繞体は、前記保持部に連結されており、前記保持部本体又は前記保持部蓋体からの伝熱により加熱されることで、前記第１管路及び前記第２管路を間接的に加熱する生体組織接着剤塗布具。
【請求項２】
前記囲繞体は、第１管路及び第２管路の間に配置される伝熱板を備える請求項１に記載の生体組織接着剤塗布具。
【請求項３】
前記第１管路及び前記第２管路の両先端部を一体的に被覆する被覆体を備えており、
前記被覆体は、熱伝導性材料から形成されている請求項１又は２に記載の生体組織接着剤塗布具。
【請求項４】
前記液組成がそれぞれ異なる生体組織接着剤用の液体は、一方が、ゼラチンを含有する液体であり、他方が、ゼラチンを固化させる液体である請求項１から３のいずれかに記載の生体組織接着剤塗布具。
【発明の詳細な説明】
【技術分野】
【０００１】
本発明は、生体組織接着剤塗布具に関する。
【背景技術】
【０００２】
人間または動物に対して、生体組織接着剤は、生体組織の表面に強く接着して液漏れ（血液、髄液、膵液など）と気漏れ（気胸）の阻止、開裂部のシール、縫合部の補強、欠陥組織の被覆、などに広く用いられている。動物性タンパク質を主成分とする生体組織接着剤は、タンパク質の溶液とこのタンパク質の凝塊形成を促進する凝固因子の溶液とを混ぜ合わせることにより現場で形成される。この種の生体組織接着剤を使用する場合、たとえばフィブリノゲンを含有する溶液をトロンビン含有溶液と混合し、これを生体組織接着に用いる場合には、従来、一方の溶液を適用部位に塗布し、これに他方の溶液を被覆する方法、または２つの溶液を混合溶液内などであらかじめ混合し、それをシリンジに吸い込んで、次いで接着すべき部位に塗布する方法が採用されていた。
【０００３】
しかし、１番目の方法は、２つの溶液が完全に混合しないうちに表面の固化が生じるために混合が不完全となり、従って接着力の低下が生じるという問題がある。また２番目の方法は、２つの溶液を混合すると直ちに接着剤の固化が起こってしまうので、２溶液の混合後素早く接着剤を適用部位に塗布しなければならず、相当の熟練を必要とし、たとえ適用できたとしても適用部位が限られるという問題があった。
【０００４】
そこで、フィブリノゲンを含有する溶液をトロンビン含有溶液と混合する場合、上記の問題から、それぞれ２本のシリンジに各溶液をあらかじめ収納しておき、これらシリンジに収納された２つの溶液を同時に注出させ、さらに混合部分に無菌ガスを噴射させることで、２つの溶液が霧化されて混合され、目的の患部に塗布される方法が用いられている（例えば、特許文献１等参照）。
【先行技術文献】
【特許文献】
【０００５】
【特許文献１】特開２００１−２３８８８７号公報
【発明の概要】
【発明が解決しようとする課題】
【０００６】
しかしながら本器具を用いた不具合として先端部での詰まりという現象がしばしば発生していた。これは特に断続して使用する際に多く発生しており、その原因は噴霧中にフィブリノゲン溶液とトロンビン溶液の霧状の微粒子が術野より反射し、ノズルチップ先端の異なる溶液と接触することにより凝固が進むことにより詰まりが発生していた。また、中断時間が長い場合においては大気との接触による乾燥等によっても詰まりが発生する場合があった。この場合本器具の交換を余儀なくされることはいうまでも無く、特に高価な製剤が無駄にされていた。また本発明で生体組織接着剤として用いられるゼラチンにおいては、適切な塗布具は無かった。
【０００７】
本発明は、このような問題を解決するためになされたものであって、詰まりが発生しにくい生体組織接着剤塗布具を提供することを目的とする。
【課題を解決するための手段】
【０００８】
本発明の上記目的は、先端部に突出形成された口部を有するシリンジ外筒と、該シリンジ外筒内に挿入されたガスケットと、該ガスケットを前記シリンジ外筒の長手方向に沿って移動操作する押し子とをそれぞれ有する第１シリンジ及び第２シリンジを備え、前記各シリンジ外筒と前記各ガスケットとで形成された空間に液組成がそれぞれ異なる生体組織接着剤用の液体が充填された生体組織接着剤塗布具であって、前記第１シリンジ及び前記第２シリンジを加熱可能な加熱手段と、熱伝導性材料から形成され、前記第１シリンジ及び前記第２シリンジの各シリンジ外筒の少なくとも一部を保持する保持部と、前記第１シリンジ及び前記第２シリンジの各シリンジ外筒が有する口部のそれぞれに接続される第１管路及び第２管路とを備え、前記保持部は、前記第１シリンジ及び前記第２シリンジの各シリンジ外筒の少なくとも一部が載置される載置凹部が形成される保持部本体と、前記保持部本体に対して開閉自在に取り付けられ、載置された前記各シリンジ外筒の露出面を被覆する被覆凹部が形成される保持部蓋体とを備えており、前記保持部本体及び保持部蓋体の少なくともいずれか一方の内部に前記加熱手段が設置されており、前記加熱手段が前記保持部本体及び前記保持部蓋体の少なくともいずれか一方を加熱することで、前記第１シリンジ及び前記第２シリンジを間接的に加熱し、前記保持部は、前記第１管路及び前記第２管路の周囲を囲む、熱伝導性材料から形成される囲繞体を備え、前記囲繞体は、前記保持部に連結されており、前記保持部本体又は前記保持部蓋体からの伝熱により加熱されることで、前記第１管路及び前記第２管路を間接的に加熱する生体組織接着剤塗布具により達成される。
【０００９】
このように、第１シリンジおよび第２シリンジの少なくともいずれか一方を加熱する加熱手段を備えるように構成することにより、第１シリンジ或いは第２シリンジ内に貯留される液体が固化することを効果的に防止することができる。特に第１シリンジ（或いは第２シリンジ）に貯留される液体が、ゼラチンを含有する液体である場合には、当該液体は、常温でゲル化してしまうが、加熱手段により加熱することによりゲル化した当該液体を粘度の低い溶液に状態変化させることができ、詰まりが発生することを防止して、患者の患部に塗布することが可能になる。
【００１２】
また、保持部が、第１シリンジ及び第２シリンジの各シリンジ外筒が載置される保持部本体と、前記保持部本体に対して開閉自在に取り付けられる保持部蓋体とを備えるように構成した場合、第１シリンジ及び第２シリンジの設置や取り外しを容易に行なうことが可能となる。また、保持部本体及び保持部蓋体少なくともいずれか一方の内部に加熱体を設置するように構成しているため、確実かつ効率よく保持部本体及び保持部蓋体を加熱することが可能になり、その結果、第１シリンジ及び第２シリンジに貯留される液体が固化することを効果的に防止することができる。また、固化した液体を加熱することにより、粘度の低い溶液に状態変化させることができ、詰まりが発生することを防止することが可能になる。
【００１４】
また、保持部が、第１管路及び第２管路の周囲を囲む熱伝導性材料から形成される囲繞体を備え、当該囲繞体が保持部に連結される構成によれば、加熱手段により加熱された保持部の熱が効率よく当該囲繞体に伝わることになる。囲繞体に伝わった熱は、囲繞体内部に配置される第１管路及び第２管路に向けて放熱されるため、固化による詰まりが発生し易い当該第１管路及び第２管路内部の液体Ｌ１，Ｌ２を効果的に加熱することができ、当該液体の固化による詰まりを防止することが可能になる。
【００１５】
また、前記囲繞体は、第１管路及び第２管路の間に配置される伝熱板を備えることが好ましい。
【００１６】
囲繞体の内部であって、第１管路及び第２管路の間に熱伝導性に優れる材料から形成される伝熱板を設けることにより、保持部および当該保持部に接続する囲繞体を介して、加熱手段により生成された熱が伝熱板に伝わることになる。伝熱板に伝わった熱は、放熱されるため、伝熱板近傍に配置される第１管路及び第２管路を効率よく加熱することができ、第１管路及び第２管路内部の液体Ｌ１，Ｌ２が固化して詰まることをより一層効果的に防止することができる。
【００１７】
また、前記第１管路及び前記第２管路の両先端部を一体的に被覆する被覆体を備えており、前記被覆体は、熱伝導性材料から形成されていることが好ましい。
【００１８】
このような構成によれば、囲繞体から放熱された熱や、伝熱板により放熱された熱を効率よく被覆体が受熱することになる。被覆体は、受熱した熱を第１管路及び前記第２管路の両先端部内の液体に対して放熱するため、第１管路及び前記第２管路の両先端部内の液体を効率よく加熱することが可能となる。第１管路及び前記第２管路の両先端部は、囲繞体の先端における開口部４５３近傍に配置されているため、外気の影響を最も受け、固化による詰まりが発生し易い箇所であるが、被覆体による効果的な加熱により当該部分での詰まりの発生を防止することが可能になる。
【００１９】
また、前記液組成がそれぞれ異なる生体組織接着剤用の液体は、一方が、ゼラチンを含有する液体であり、他方が、ゼラチンを固化させる液体であることが好ましい。
【発明の効果】
【００２０】
本発明によれば、詰まりが発生しにくい生体組織接着剤塗布具を提供することができる。
【図面の簡単な説明】
【００２１】
【図１】本発明の一実施形態に係る生体組織接着剤塗布具の概略構成平面図である。
【図２】本発明の一実施形態に係る生体組織接着剤塗布具の概略構成側面図である。
【図３】図１のＡ−Ａ断面図である。
【図４】図１に示す保持部蓋体４２２、保持部蓋体４２２に接続する囲繞上部４５２、第１シリンジ２、第２シリンジ３、第１管路２１３および第２管路３１３を取り外した状態を示す平面図である。
【図５】図１に示す生体組織接着剤塗布具に装填される第１シリンジ（第２シリンジ）の部分縦断面図である。
【図６】図１のＢ−Ｂ断面図である。
【図７】図１に示す生体組織接着剤塗布具の変形例を示す概略構成断面図である。
【図８】図１に示す生体組織接着剤塗布具のその他の変形例を示す概略構成断面図である。
【発明を実施するための形態】
【００２２】
以下、本発明に係る生体組織接着剤塗布具について、添付図面を参照して説明する。図１は、本発明の一実施形態に係る生体組織接着剤塗布具１の概略構成平面図であり、図２は、概略構成側面図である。図３は、図１のＡ−Ａ断面図であり、図４は、図１に示す保持部蓋体４２２、保持部蓋体４２２に接続する囲繞上部４５２、第１シリンジ２、第２シリンジ３、第１管路２１３および第２管路３１３を取り外した状態を示す平面図である。尚、各図面は、構成の理解を容易にするため、実寸比ではなく部分的に拡大又は縮小されている。
【００２３】
本発明に係る生体組織接着剤塗布具１は、液組成が異なる２種の液体（第１の液体Ｌ１、第２の液体Ｌ２）を混合しながら塗布するものである。図１〜図４に示すように、この生体組織接着剤塗布具１は、第１の液体Ｌ１を収納する第１シリンジ２と、第２の液体Ｌ２を収納する第２シリンジ３と、第１シリンジ２および第２シリンジ３が装填される塗布具本体４と、操作手段５とを備えている。
【００２４】
まず、第１シリンジ２および第２シリンジ３の構成について説明する。第１シリンジ２と第２シリンジ３とは、ほぼ同様の構成であるため、代表的に第１シリンジ２について説明する。
【００２５】
図５に示すように、本実施形態における第１シリンジ２は、シリンジ外筒２１と、シリンジ外筒２１内に挿入され当該シリンジ外筒２１内で摺動し得るガスケット２２と、ガスケット２２をシリンジ外筒２１の長手方向（軸方向）に沿って移動操作する押し子２３（プランジャロッド）とを備えている。ガスケット２２は、押し子２３の先端に連結されている。
【００２６】
シリンジ外筒２１は、有底筒状の部材で構成されており、先端側底部の中央部には、シリンジ外筒２１の胴部に対し縮径した口部２１１が一体的に突出形成されている。
【００２７】
シリンジ外筒２１の後端外周には、フランジ２１２が一体的に形成されており、シリンジ外筒２１の外周面には、液量を示す目盛りが付されている。
【００２８】
シリンジ外筒２１の構成材料としては、例えば、ポリ塩化ビニル、ポリエチレン、ポリプロピレン、環状ポリオレフィン、ポリスチレン、ポリ−（４−メチルペンテン−１）、ポリカーボネート、アクリル樹脂、アクリルニトリル−ブタジエン−スチレン共重合体、ポリエチレンテレフタレート、ポリエチレンナフタレート等のポリエステル、ブタジエン−スチレン共重合体、ポリアミド（例えば、ナイロン６、ナイロン６・６、ナイロン６・１０、ナイロン１２）のような各種樹脂が挙げられるが、その中でも、成形が容易であり、かつ水蒸気透過性が低い点で、ポリプロピレン、環状ポリオレフィン、ポリエステルのような樹脂が好ましい。なお、シリンジ外筒２１の構成材料は、内部の視認性を確保するために、実質的に透明であるのが好ましい。
【００２９】
シリンジ外筒２１内に挿入（収容）されているガスケット２２は、弾性材料で構成されている。ガスケット２２の外周部には、複数（２つ）のリング状の突部２２１が全周にわたって形成されており、これらの突部２２１がシリンジ外筒２１の内周面に密着しつつ摺動することで、液密性をより確実に保持するとともに、摺動性の向上が図れる。
【００３０】
また、ガスケット２２には、その後端面に開放する中空部２２２が形成されており、当該中空部２２２内に、後述する押し子２３のヘッド部２３２が設置されている。
【００３１】
ガスケット２２の構成材料としては、特に限定されないが、例えば、天然ゴム、ブチルゴム、イソプレンゴム、ブタジエンゴム、スチレン−ブタジエンゴム、シリコーンゴムのような各種ゴム材料や、ポリウレタン系、ポリエステル系、ポリアミド系、オレフィン系、スチレン系等の各種熱可塑性エラストマー、あるいはそれらの混合物等の弾性材料が挙げられる。
【００３２】
押し子２３は、横断面が十文字状をなす棒状の本体部２３１を有している。本体部２３１の先端側には、ガスケット２２の中空部２２２内に挿入され、ガスケット２２と連結されるヘッド部２３２が形成されている。ガスケット２２とヘッド部２３２との連結は、種々の方法により行なうことが可能である。例えば、ガスケット２２の中空部２２２の内周面に雌ネジを形成すると共に、ヘッド部２３２の外周面に雄ネジを形成し、雄ネジを雌ネジと螺合することにより両者を連結してもよい。なお、螺合による連結に限らず、例えば凹凸嵌合等により連結された構成、接着、融着等により固着された構成、一体成形された構成であってもよい。
【００３３】
また、本体部２３１の後端側には、円盤状のフランジ２３３が形成されている。押し子２３の構成材料としては、前述したシリンジ外筒２１の構成材料として例示したものと同様のものを用いることができる。
【００３４】
第１シリンジ２は、塗布具本体４に装填される以前に、シリンジ外筒２１とガスケット２２とで囲まれた空間（貯液空間）に、第１の液体Ｌ１が充填される。
【００３５】
第２シリンジ３は、第１シリンジ２と同様に、シリンジ外筒３１と、シリンジ外筒３１内で摺動し得るガスケット３２と、ガスケット３２を移動操作する押し子３３とで構成され、シリンジ外筒３１とガスケット３２とで囲まれた空間に第２の液体Ｌ２が充填される。各部の構成は同様であるため、その説明は省略する。なお、第１シリンジ２に充填される第１の液体Ｌ１と、第２シリンジ３に充填される第２の液体Ｌ２とは、それらの組成（成分）が異なる液体である。
【００３６】
本発明においては、第１の液体Ｌ１と第２の液体Ｌ２とは、生体組織接着剤塗布具１の用途、使用目的、症例等に応じて適宜選定されるが、例えば、第１の液体Ｌ１および第２の液体Ｌ２のうちの一方は、ゼラチンを含有する液体（溶液等）であり、他方は、ゼラチンを固化させる液体（溶液等）であることが好ましい。ゼラチンを固化させる液体としては、例えば、グルタルアルデヒドを含有する液体を例示することができる。
【００３７】
このような組み合わせの第１の液体Ｌ１および第２の液体Ｌ２は、それらを混合すると、変質、すなわち、ゲル化（固化）する。ゲル化することにより、例えば、第１の液体Ｌ１と第２の液体Ｌ２とが混合したもの（以下、「混合液」という）が、塗布された生体組織（目的部位）に確実に留まることができる。また、混合液が目的部位に確実に留まるため、当該目的部位において、生体組織接着材としての機能を確実に発揮することができる。
【００３８】
なお、第１の液体Ｌ１および第２の液体Ｌ２の種類および組み合わせは、上
述したものに限定されず、タンパク質の溶液とタンパク質の架橋剤となる物質の溶液という組み合わせであればよい。例えば、用いられるタンパク質としては、ゼラチン、コラーゲン、アルブミンなどが例示できる。また、架橋剤としてはホルムアルデヒド、グルタルアルデヒド、エポキシ化合物などが例示できる。
【００３９】
第１の液体Ｌ１が充填された第１シリンジ２と、第２の液体Ｌ２が充填された第２シリンジ３とが装填される塗布具本体４は、図１および図２に示すように、第１シリンジ２および第２シリンジ３を並列に並べて固定するものである。この塗布具本体４は、プレート状の基台部４１と、基台部４１上に設置されるブロック状の保持部４２とを備えている。
【００４０】
保持部４２は、図１〜図４に示すように、保持部本体４２１と保持部蓋体４２２とを備えている。保持部本体４２１は、基台部４１上に固定されている。保持部本体４２１と保持部蓋体４２２とは、ヒンジ機構４２３により連結されており、保持部蓋体４２２が保持部本体４２１に対して開閉自在に取り付けられている。保持部本体４２１の上面には、第１シリンジ２及び第２シリンジ３の各シリンジ外筒２１，３１の全域或いは一部がそれぞれ載置（収納）される載置凹部４２４が形成されている。また、保持部蓋体４２２を保持部本体４２１上に配置した場合の保持部蓋体４２２における保持部本体４２１との対向面には、保持部本体４２１に載置された各シリンジ外筒２１，３１の露出面を被覆する被覆凹部４２５が形成されている。なお、図１および図２に示すように蝶ボルト等の固定手段４２６により、保持部蓋体４２２を保持部本体４２１上に配置した状態でロック可能となるように構成されている。
【００４１】
また、保持部本体４２１に形成される載置凹部４２４の先端には、ストッパ壁４２７，４２８がそれぞれ設けられており、当該ストッパ壁４２７，４２８に溝４２７ａ，４２８ａが形成されている。第１シリンジ２および第２シリンジ３を装填するとき、溝４２７ａには、第１シリンジ２の口部２１１が挿入され、溝４２８ａには、第２シリンジ３の口部３１１が挿入される。また、保持部蓋体４２２に形成される被覆凹部４２５の先端にもストッパ壁４２９，４３０がそれぞれ設けられており、当該ストッパ壁４２９，４３０に溝４２９ａ，４３０ａが形成されている。保持部蓋体４２２を保持部本体４２１上に載置した場合、溝４２９ａは、第１シリンジ２の口部２１１に被さるように配置され、溝４３０ａは、第２シリンジ３の口部３１１に被さるように配置される。なお、ストッパ壁４２７〜４３０を、載置凹部４２４の先端又は被覆凹部４２５の先端に形成しないように構成してもよい。
【００４２】
また、保持部本体４２１および保持部蓋体４２２には、各後端部の側壁面に開口し、載置凹部４２４および被覆凹部４２５と平行な方向に伸びる挿入孔４３が形成されている。当該挿入孔４３には、カートリッジヒータ等の加熱体４４が挿入されている。加熱体４４としては、例えば３５℃〜５０℃の温度範囲で保持部４２を加熱できるものを好適に用いることができる。また、保持部本体４２１の所定個所には、熱電対９が埋設されており、保持部本体４２１の温度を測定できるように構成されている。本実施形態においては、各載置凹部４２４近傍の温度を計測できるように、それぞれの載置凹部４２４の下方に熱電対９を設置している。なお、熱電対９は、第１シリンジ２および第２シリンジ３内に貯留される液体Ｌ１，Ｌ２の温度調節に資するために設けられるものであるため、この目的が達成される限りその設置場所については特に限定されない。
【００４３】
加熱体４４は、配線ケーブル４４１を介して外部に配置される制御装置（図示せず）に接続されている。同様に、熱電対９も制御装置（図示せず）に接続されている。制御装置は、調温手段を備えており、熱電対９からの出力信号により温度を検知して、保持部本体４２１に装填される第１シリンジ２および第２シリンジ３内に貯留される液体Ｌ１，Ｌ２の温度が所定温度となるように、加熱体４４の発熱温度を自動的にコントロールできるように構成されている。
【００４４】
保持部４２を構成する保持部本体４２１および保持部蓋体４２２は、例えば、ステンレスやアルミニウム等の熱伝導性に優れる金属材料から形成することが好ましい。また、熱伝導性に優れる材料であれば、金属材料に限定されず、各種プラスチック材料から保持部４２を形成することもできる。
【００４５】
また、保持部４２は、図１〜図４に示すように囲繞体４５を備えている。この囲繞体４５は、第１シリンジ２及び第２シリンジ３の各シリンジ外筒２１，３１が有する口部２１１，３１１にそれぞれ接続される第１管路２１３及び第２管路３１３の周囲を囲む部材である。この囲繞体４５は、保持部本体４２１に接続される囲繞下部４５１と、保持部蓋体４２２に接続される囲繞上部４５２とを備えており、保持部蓋体４２２を保持部本体４２１上に配置した状態で、図６の断面図に示すように、囲繞下部４５１および囲繞上部４５２が、上記第１管路２１３及び第２管路３１３の周囲を取り囲むように構成されている。また、囲繞体４５の先端には開口部４５３が形成されており、当該開口部４５３に、第１管路２１３及び前記第２管路３１３の両先端部を一体的に被覆する被覆体４６が配置されている。
【００４６】
囲繞体４５および被覆体４６は、保持部４２と同様に、例えば、ステンレスやアルミニウム等の熱伝導性に優れる金属材料から形成することが好ましい。また、熱伝導性に優れる材料であれば、金属材料に限定されず、各種プラスチック材料から囲繞体４５および被覆体４６を形成することもできる。
【００４７】
また、囲繞体４５の内部であって、第１管路２１３及び第２管路３１３の間には、伝熱板４７が設けられている。この伝熱板４７は、ステンレスやアルミニウム等の熱伝導性に優れる金属材料や、熱伝導性に優れるプラスチック材料から形成されている。
【００４８】
操作手段５は、保持部４２に装填された第１シリンジ２および第２シリンジ３の押し子２３，３３を先端方向（図１および図２の矢印Ｃ方向）に押圧するための手段であり、保持部４２が有する基台部４１に接続している。この操作手段５は、押圧具５１と把持具５２とを備えている。
【００４９】
押圧具５１は、後述する移動コマ５２４との係合部となるノコ歯状に複数形成された移動ツメ５１１を一方面に備える板状体５１２と、当該板状体５１２の端部に立設される押圧部５１３とを備えている。この押圧具５１は、塗布具本体４に対してその長手方向（図２における左右方向）に移動可能に設置されている。押圧具５１における板状体５１２は、塗布具本体４と把持具５２との間に配置されている。なお、保持部４２に保持される第１シリンジ２および第２シリンジ３の種類によっては、押圧具５１における押圧部５１３と、第１シリンジ２および／又は第２シリンジ３が備える押し子２３（３３）のフランジ２３３（３３３）との間に隙間が生じる場合もあるが、このような場合には、図１および図２に示すようにスペーサー５１４を当該隙間に設置することにより対処すればよい。
【００５０】
把持具５２は、押圧部５１３が第１シリンジ２および第２シリンジ３の押し子２３，３３を押圧するように当該押圧具５１を移動させるためのものであり、図２に示すように、ハンドル部５２１と、トリガー部５２２と、ハンドル部５２１およびトリガー部５２２の相対位置を規制し、引き金操作を可能とするトリガースプリング５２３とを備えている。トリガー部５２２の先端部近傍には、移動ツメ５１１とラチェット係合する移動コマ５２４が配設されている。トリガー部５２２をトリガースプリング５２３の弾性に抗して引く操作（引き金操作）を行なうことにより、トリガー部５２２の先端部近傍に配設されている移動コマ５２４が支点５２５を中心に回動運動し、該移動コマ５２４が係合する移動ツメ５１１に引っかかり、係合状態が無くなるまで押圧具５１の板状体５１２を移動させることができる。
【００５１】
なお、トリガー部５２２への把持を緩めるとトリガースプリング５２３の弾性復元力により、トリガー部５２２は元の位置に戻され、これに伴い移動コマ５２４も元の位置に戻るが、移動ツメ５１１と移動コマ５２４とはラチェット係合しているため、トリガー部５２２が元の位置に戻る際に、移動コマ５２４が移動ツメ５１１を押圧して板状体５１２を元の位置に戻すことはない。
【００５２】
以上のようなトリガー操作を繰り返すことにより、板状体５１２の端部に設けられる押圧部５１３が、第１シリンジ２および第２シリンジ３の押し子２３，３３を押圧することが可能となり、第１シリンジ２および第２シリンジ３内に収容される第１の液体Ｌ１および第２の液体Ｌ２を吐出することが可能となる。なお、第１シリンジ２および第２シリンジ３を塗布具本体に装填して、第１の液体Ｌ１および第２の液体Ｌ２の吐出を開始する場合、シリンジサイズによっては、各液体Ｌ１，ｌ２が、第１管路２１３及び第２管路３１３の各先端部に到達するタイミングにズレが生じる場合がある。このような事態が生じると、混合されて生成される生体組織接着剤の品質が低下するおそれがあるが、かかる事態は、第１シリンジ２や第２シリンジ３の口部２１１，３１１に接続される第１管路２１３及び第２管路３１３の各長さや各管路径等を調整することにより、回避することができる。
【００５３】
本発明に係る生体組織接着剤塗布具１は、上述のように、第１シリンジ２および第２シリンジ３が保持される保持部４２を加熱する加熱手段（加熱体４４）を備えるように構成しているため、第１シリンジ２および第２シリンジ３内に貯留される液体Ｌ１，Ｌ２が固化することを効果的に防止することができる。特に第１シリンジ２（或いは第２シリンジ３）に貯留される液体が、ゼラチンを含有する液体である場合には、当該液体は、常温でゲル化してしまうが、加熱手段により加熱することによりゲル化した当該液体を粘度の低い溶液に状態変化させることができ、詰まりが発生することを防止して、患者の患部に塗布することが可能になる。
【００５４】
また、保持部４２は、第１シリンジ２及び第２シリンジ３の各シリンジ外筒２１，３１が有する口部２１１，３１１にそれぞれ接続される第１管路２１３及び第２管路３１３の周囲を囲む囲繞体４５を備えている。この囲繞体４５は、熱伝導性に優れる材料から形成されているため、加熱手段により加熱された保持部４２の熱が効率よく当該囲繞体４５に伝わることになる。囲繞体４５に伝わった熱は、囲繞体４５内部に配置される第１管路２１３及び第２管路３１３に向けて放熱されるため、固化による詰まりが発生し易い当該第１管路２１３及び第２管路３１３内部の液体Ｌ１，Ｌ２を効果的に加熱することができ、当該液体の固化による詰まりを防止することが可能になる。
【００５５】
また、囲繞体４５の内部であって、第１管路２１３及び第２管路３１３の間には、熱伝導性に優れる材料から形成される伝熱板４７が設けられているため、保持部４２および当該保持部４２に接続する囲繞体４５を介して、加熱手段（加熱体４４）により生成された熱が伝熱板４７に伝わることになる。伝熱板４７に伝わった熱は、放熱されるため、伝熱板４７近傍に配置される第１管路２１３及び第２管路３１３を効率よく加熱することができ、第１管路２１３及び第２管路３１３内部の液体Ｌ１，Ｌ２が固化して詰まることをより一層効果的に防止することができる。
【００５６】
また、囲繞体４５の先端における開口部４５３近傍に配置される第１管路２１３及び前記第２管路３１３の両先端部を一体的に被覆する被覆体４６を備えており、当該被覆体４６も熱伝導性に優れる材料から形成しているため、囲繞体４５から放熱された熱や、伝熱板４７により放熱された熱を効率よく被覆体４６が受熱することになる。被覆体４６は、受熱した熱を第１管路２１３及び前記第２管路３１３の両先端部内の液体Ｌ１，Ｌ２に対して放熱するため、第１管路２１３及び前記第２管路３１３の両先端部内の液体Ｌ１，Ｌ２を効率よく加熱することが可能となる。第１管路２１３及び前記第２管路３１３の両先端部は、囲繞体４５の先端における開口部４５３近傍に配置されているため、外気の影響を最も受け、低温化により固化し、詰まりが発生し易い箇所であるが、被覆体４６による効果的な加熱により当該部分での詰まりの発生を防止することが可能になる。
【００５７】
また、保持部４２は、第１シリンジ２及び第２シリンジ３の各シリンジ外筒２１，３１が載置される保持部本体４２１と、前記保持部本体４２１に対して開閉自在に取り付けられる保持部蓋体４２２とを備えるように構成されているため、第１シリンジ２及び第２シリンジ３の設置や取り外しを容易に行なうことが可能となる。また、保持部本体４２１及び保持部蓋体４２２の内部に加熱体４４を設置するように構成しているため、確実かつ効率よく保持部本体４２１及び保持部蓋体４２２を加熱することが可能になり、その結果、第１シリンジ２及び第２シリンジ３に貯留される液体Ｌ１，Ｌ２が固化することを効果的に防止することができる。また、固化した液体Ｌ１，Ｌ２を加熱することにより、粘度の低い溶液に状態変化させることができ、詰まりが発生することを防止して、患者の患部に塗布することが可能になる。
【００５８】
また、本発明に係る生体組織接着剤塗布具１は、熱電対９を備えており、載置凹部４２４近傍の温度を測定可能となるように構成されている。このような構成により、測定された温度に基づいて加熱体４４の発熱温度を制御して、第１シリンジ２および第２シリンジ３内に貯留される液体Ｌ１，Ｌ２の温度を所望の温度となるようにコントロールすることが可能となり、また、加熱体４４の発熱温度を変更することにより、液体Ｌ１，Ｌ２を混合した混合液のゲル化速度を調節することも可能となる。
【００５９】
以上、本発明に係る生体組織接着剤塗布具１の実施形態について説明したが、生体組織接着剤塗布具１の具体的構成は、上記実施形態に限定されない。例えば、上記実施形態においては、保持部本体４２１および保持部蓋体４２２の双方に、挿入孔４３を形成し、当該挿入孔４３に加熱体４４を設置する構成を採用しているが、保持部本体４２１又は保持部蓋体４２２のいずれか一方に挿入孔４３を形成し、この挿入孔４３に加熱体４４を設置するように構成してよい。
【００６０】
また、上記実施形態においては、保持部本体４２１および保持部蓋体４２２に形成した挿入孔４３の内部に加熱体４４を設置するように構成しているが、例えば、図７の概略構成断面図に示すように、保持部本体４２１の下面および保持部蓋体４２２の上面の双方又はいずれか一方にシートヒータ（面状発熱体）等のシート状の加熱体４４を設置するように構成してもよい。なお、このような構成を採用する場合、安全性の観点から、シート状の加熱体４４の露出面を断熱性のカバー６により覆うことが好ましい。
【００６１】
また、上記実施形態においては、保持部４２が保持部本体４２１と保持部蓋体４２２とを備え、保持部蓋体４２２が保持部本体４２１に対して開閉自在となるように構成しているが、例えば、保持部蓋体４２２を省略し、保持部本体４２１のみで保持部４２を構成するようにしてもよい。このような構成であっても、保持部本体４２１内部に設置される加熱体４４の作用により、保持部本体４２１に装填される第１シリンジ２および第２シリンジ３に貯留される液体Ｌ１，Ｌ２を加熱すると共に、保持部本体４２１から囲繞下部４５１に伝わる熱により第１管路２１３および第２管路３１３内の液体Ｌ１，Ｌ２を加熱することが可能である。
【００６２】
また、上記実施形態においては、保持部本体４２１における載置凹部４２４に載置した第１シリンジ２および第２シリンジ３に対して保持部蓋体４２２を重ねることにより、第１シリンジ２および第２シリンジ３を保持部４２に固定するように構成しているが、このような構成の代わりに、図８の断面図に示すように、ブロック状の保持部４２に第１シリンジ２および第２シリンジ３を挿入するための孔７１，７２を形成し、当該各孔７１，７２内に、第１シリンジ２および第２シリンジ３を挿入して、第１シリンジ２および第２シリンジ３を保持部４２に固定するように構成してもよい。
【００６３】
また、上記実施形態においては、操作手段５が、ガンタイプの把持具５２と、当該把持具５２の引き金操作により第１シリンジ２および第２シリンジ３が有する各押し子２３，３３を押圧する押圧具５１とを備えるように構成しているが、このような構成に特に限定されず、例えば、ガンタイプの把持具５２を省略し、第１シリンジ２および第２シリンジ３における各押し子２３，３３が有するフランジ２３３，３３３を連結して固定する連結具により操作手段５を構成してもよい。このような構成を採用する場合、連結具を押圧することにより、第１シリンジ２および第２シリンジ３内に収容される第１の液体Ｌ１および第２の液体Ｌ２を吐出することが可能となる。
【符号の説明】
【００６４】
１  生体組織接着剤塗布具
２  第１シリンジ
２１  シリンジ外筒
２１１  口部
２２  ガスケット
２３  押し子
３  第２シリンジ
３１  シリンジ外筒
３１１  口部
３２  ガスケット
３３  押し子
４４  加熱体（加熱手段）
【図１】
0005709473.tif 000002
【図２】
0005709473.tif 000003
【図３】
0005709473.tif 000004
【図４】
0005709473.tif 000005
【図５】
0005709473.tif 000006
【図６】
0005709473.tif 000007
【図７】
0005709473.tif 000008
【図８】
0005709473.tif 000009